(57)【特許請求の範囲】
【請求項１】
少なくとも２つの電極を備えたセンサーで打設コンクリートの存在を検知して振動源への電力供給のオン・オフを行う制御装置を備えたコンクリートバイブレータであって、
前記コンクリートバイブレータは、打設コンクリートに挿脱される棒状振動体を前記電極の数以上備え、
前記センサーの電極は、電極毎にそれぞれ異なる棒状振動体の先端側表面に配設され、
前記制御装置は、前記電極間に流れる電流を検出する電流検出手段と、前記電流検出手段からの電流検出信号を受けたときに前記振動源への電力供給を行う制御手段とを備えた、
コンクリートバイブレータ。
【請求項２】
電極の数と棒状振動体の数を同数とし、
制御手段は、電流検出手段により電極間を流れる電流が検出された電極の配設されている棒状振動体の振動源に対して電力供給を行うものとした、
請求項１記載のコンクリートバイブレータ。
【請求項３】
制御手段による振動源への電力供給は、振動源毎にタイミングをずらして開始するものとした、
請求項１又は２記載のコンクリートバイブレータ。
【発明の詳細な説明】
【技術分野】
【０００１】
この発明は、打設コンクリートの締め固めに使用されるコンクリートバイブレータにおいて、打設コンクリートを検知することにより自動的にバイブレータの運転を制御することができる棒状のコンクリートバイブレータに関するものである。
【背景技術】
【０００２】
打設コンクリートを検知してバイブレータの運転を自動的に制御する棒状のコンクリートバイブレータとして、出願人は、先に、特許第６２６２２８１号に係る発明を提案した。
【０００３】
特許第６２６２２８１号に係る発明は、内部に振動源を備えた棒状の振動体と、この振動体の基端側に接続されたホースと、２つの電極を備えたセンサーで打設コンクリートの存在を検知して前記振動源への電力供給のオン・オフを行う制御装置とを備え、作業者が前記ホースを持って前記棒状の振動体を宙づり状態で打設コンクリートに挿脱するコンクリートバイブレータであって、前記センサーの２つの電極のうち一の電極は打設コンクリートに挿脱される前記棒状の振動体の先端側表面に、他の電極は前記棒状の振動体の表面にではなく前記制御装置に前記一の電極とは十分な距離を置いてそれぞれ配設され、前記制御装置は、前記２つの電極間に流れる電流を検出する電流検出手段と、前記電流検出手段からの電流検出信号を受けたときに前記振動源への電力供給を行う制御手段とを備え、前記振動源への電力供給は、打設コンクリートに対する前記棒状の振動体の挿入開始時点で自動的に開始され、引き抜き完了時点で自動的に停止されるものとした、コンクリートバイブレータである。
【０００４】
この発明によれば、打設コンクリートに対して振動体の挿入を開始した時点で振動源への電力供給を自動的に開始し、打設コンクリートから振動体の引き抜きが完了した時点で振動源への電力供給を自動的に停止することにより、コンクリートバイブレータの運転制御を自動的に行うことができる。
【０００５】
しかしながら、この発明にあっては、センサーを構成する電極は、一の電極が棒状振動体の先端側表面に配設され、他の電極が棒状振動体の表面にではなく制御装置に前記一の電極とは十分な距離を置いて配設されているので、この発明を用いて打設コンクリートの締め固めを行う場合、制御装置が備える他の電極をあらかじめ打設コンクリートに挿入しておくか、打設コンクリート内に配設された鉄筋などに接続しておく必要があり、作業が繁雑となる。
【０００６】
また、棒状振動体を打設コンクリートに挿脱する際に、棒状振動体の先端側表面が、打設コンクリート内に配設された鉄筋などと接続されながら外部に露出している状態の鉄筋などに接触すると、棒状振動体を打設コンクリートに挿入していない状態であるにもかかわらず２つの電極間に電流が流れてしまい、誤って振動源に電力が供給されてしまうという問題もある。特に、鉄筋が密に配設されている場合には、棒状振動体の先端側表面が誤って露出状態の鉄筋に接触してしまう可能性が高く、このような誤作動を起こす危険性が高い。
【先行技術文献】
【特許文献】
【０００７】
【特許文献１】特許第６２６２２８１号公報
【発明の概要】
【発明が解決しようとする課題】
【０００８】
この発明は、センサーの一の電極をあらかじめ打設コンクリートに挿入しておいたり、打設コンクリート内に配設された鉄筋などに接続しておいたりする必要がなく、また、棒状振動体の打設コンクリート挿脱時に棒状振動体が露出状態の鉄筋などに接触しても誤作動を起こしにくいコンクリートバイブレータを得ることを課題とする。
【課題を解決するための手段】
【０００９】
この発明は、少なくとも２つの電極を備えたセンサーで打設コンクリートの存在を検知して振動源への電力供給のオン・オフを行う制御装置を備えたコンクリートバイブレータであって、前記コンクリートバイブレータは、打設コンクリートに挿脱される棒状振動体を前記電極の数以上備え、前記センサーの電極は、電極毎にそれぞれ異なる前記棒状振動体の先端側表面に配設され、前記制御装置は、前記電極間に流れる電流を検出する電流検出手段と、前記電流検出手段からの電流検出信号を受けたときに前記振動源への電力供給を行う制御手段とを備えたコンクリートバイブレータとして構成する。
【００１０】
前記センサーは少なくとも２つの電極を備え、前記棒状振動体は前記電極の数以上備えていればよく、前記電極の数と前記棒状振動体の数は必ずしも一致させる必要はない。たとえば、２つの電極でセンサーが構成されている場合には、棒状振動体は少なくとも２つ備えていればよく、それ以上の数の棒状振動体を備えていてもよい。
【００１１】
前記電極は、電極毎にそれぞれ異なる棒状振動体の先端側表面を電導体で構成することにより設けられていればよく、棒状振動体の表面全体を電導体で構成することにより設けることもできる。
【００１２】
前記電流検出手段は、打設コンクリート中の水分を介して導通する前記電極間に流れる電流を検出して電流検出信号を前記制御手段に送信するためのものである。
【００１３】
前記制御手段は、前記振動源への電力の供給及び停止を行う手段であり、前記電流検出手段から電流検出信号を受信した場合に各棒状振動体の振動源に電力を供給し、前記電流検出手段から電流検出信号を受信していない場合に前記振動源への電力供給を停止するように構成されている。
【００１４】
前記電極の数と前記棒状振動体の数を同じにした場合には、前記制御手段は、前記電流検出手段により電極間に流れる電流が検出された電極が配設されている棒状振動体の振動源に対してのみ電力供給を行うものとすることもできる（請求項２）。
【００１５】
前記制御手段による振動源への電力供給は、各振動源に対して一斉に同じタイミングで開始してもよいが、振動源毎にタイミングをずらして開始することもできる（請求項３）。前記振動源への電力供給の開始タイミングをずらす場合、振動源毎に所定時間１ｍｓｅｃ〜１ｓｅｃ程度の範囲でタイミングをずらして振動源に対して電力供給を開始することが考えられる。
【発明の効果】
【００１６】
この発明によれば、少なくとも２つの電極を備えたセンサーで打設コンクリートの存在を検知して振動源への電力供給のオン・オフを行う制御装置を備えたコンクリートバイブレータであって、前記コンクリートバイブレータは、打設コンクリートに挿脱される棒状振動体を前記電極の数以上備え、前記センサーの電極は、電極毎にそれぞれ異なる前記棒状振動体の先端側表面に配設され、前記制御装置は、前記電極間に流れる電流を検出する電流検出手段と、前記電流検出手段からの電流検出信号を受けたときに前記振動源への電力供給を行う制御手段とを備えているので、前記電極が配設された複数の棒状振動体が打設コンクリートに挿入されると、打設コンクリート内の水分を介して電極間に電流が流れ、前記制御装置がこの電流を検出することにより前記棒状振動体の振動源への電力供給を制御することができる。すなわち、コンクリートバイブレータが備え、打設コンクリートにほぼ同時に挿入されることとなる複数の棒状振動体にセンサー用の電極が配設されているので、あらかじめセンサーの一の電極を打設コンクリート内に挿入しておいたり、打設コンクリート内に配設された鉄筋などに接続しておいたりする必要がない。また、前記棒状振動体の打設コンクリート挿脱時には、電極が配設された複数の棒状振動体の先端側表面が同時に鉄筋等の導体に接触しない限り電極間に電流が流れることはないので、誤作動の発生も可及的に抑制することができる。
【００１７】
請求項２の発明によれば、前記電極の数と前記棒状振動体の数を同数とするとともに、前記制御手段は、前記電流検出手段によって前記電極間を流れる電流が検出された前記電極の配設されている前記棒状振動体の振動源に対して電力供給を行うものとしたので、複数の棒状振動体のうち実際に打設コンクリートに接触している棒状振動体の振動源に対してのみ電力を供給して動作させることができ、打設コンクリートへの棒状振動体の実際の挿入状況に応じた制御を行うことができる。
【００１８】
請求項３の発明によれば、前記制御手段による振動源への電力供給は、振動源毎にタイミングをずらして開始するものとしたので、複数の棒状振動体を打設コンクリートに挿入する際に同時に動作を開始させることで生じやすい打設コンクリート表面の波打ちを抑制することができ、チャタリングの発生を防止することができる。
【図面の簡単な説明】
【００１９】
【図１】この発明の第１の実施例の概要を示す図
【図２】同じく電気的接続の概要を示す構成図
【図３】同じく使用状態を説明する図
【図４】同じく制御装置による電力供給のタイミングを説明する図
【図５】この発明の第２の実施例の概要を示す図
【図６】同じく電気的接続の概要を示す図
【図７】同じく使用状態を説明する図
【図８】同じく制御装置による電力供給のタイミングを説明する図
【図９】この発明の第２の実施例の変形例の使用状態を説明する図
【図１０】同じく制御装置による電力供給のタイミングを説明する図
【図１１】この発明の第３の実施例の概要を示す図
【図１２】同じく電気的接続の概要を示す図
【図１３】同じく使用状態を説明する図
【発明を実施するための形態】
【００２０】
図１ないし図４は、この発明の第１の実施例の概要を示す図である。第１の実施例は、作業者がホースを手で持ち、棒状振動体を宙づり状態にして打設コンクリートの締め固め作業を行う、手持ち式の棒状コンクリートバイブレータに適用した場合の実施例である。
【００２１】
内部にそれぞれ振動源発生源を備えた棒状振動体１１，１２は、互いに所定間隔を介して先端位置が揃うよう並列状態に配設されており、基端側にはアタッチメントを介してホース２が接続されている。このホース２の他端は制御装置３に接続されている。制御装置３は、制御回路３１と、電流検出回路３２と、絶縁型ＤＣ−ＤＣコンバータ３３とを備えており、制御回路３１にはバイブレータの駆動電源である高周波インバータ４が接続され、各バイブレータの振動発生源への電力供給を制御している。
【００２２】
棒状振動体１１，１２の先端側表面１１１，１２１は、何れも鉄などの導体で構成されており、この先端側表面１１１，１２１の裏側（振動体内部）にはセンサー線１１２，１２２がそれぞれ接続されている。このセンサー線１１２，１２２は、ホース２の内部を通って制御装置３内の電流検出回路３２に他端が接続されている。打設コンクリートの存在を検知するセンサーである２つの電極のうち、棒状振動体１１の先端側表面１１１が第１電極を、棒状振動体１２の先端側表面１２１が第２電極を構成している。
【００２３】
絶縁型ＤＣ−ＤＣコンバータ３３は、１次側が高周波インバータ４に、２次側が電流検出回路３２にそれぞれ接続されており、バイブレータ電源として利用される高周波インバータ４の出力電圧を変圧し、センサー線１１２，１２２を介して棒状振動体１１，１２の先端側表面１１１，１２１に印加している。この実施例においては、２つの電極に印加する電圧の電源としてバイブレータ電源である高周波インバータ４に接続した絶縁型ＤＣ−ＤＣコンバータ３３を用いているが、この絶縁型ＤＣ−ＤＣコンバータ３３に代わり、バイブレータ電源から独立した専用のバッテリーを用いることもできる（図示は省略）。
【００２４】
電流検出回路３２は、センサーを構成する棒状振動体１１の先端側表面１１１（第１電極）と棒状振動体１２の先端側表面１２１（第２電極）とが打設コンクリートＣ中の水分を介して導通している間に流れる電流を検出し、電流検出信号を制御回路３１に送信する回路である。
【００２５】
制御回路３１は、棒状振動体１１，１２のそれぞれの振動源であるバイブレータへの電力供給のオン・オフを制御する回路であり、電流検出回路３２から電流検出信号を受信している間は振動源への電力供給を行い、電流検出信号を受信していない間は振動源への電力供給を停止するよう設定されている。
【００２６】
次に、図３を参照して、第１の実施例のコンクリートバイブレータを用いた打設コンクリートの締め固め作業時におけるコンクリートバイブレータの動作を説明する。
【００２７】
作業者は、コンクリートバイブレータのホース２を持ち、棒状振動体１１，１２を宙づり状態にして制御装置３の主電源を投入する。このとき、棒状振動体１１，１２の先端側表面１１１（第１電極），１２１（第２電極）には絶縁型ＤＣ−ＤＣコンバータ３３から電圧が印加されているものの、棒状振動体１１，１２の先端側表面１１１，１２１は導通しておらず、先端側表面１１１（第１電極），１２１（第２電極）間には電流が流れていないので、電流検出回路３２から制御回路３１に対して電流検出信号が送信されることはなく、制御回路３１は振動源に対して電力供給を行わない。このため、バイブレータの運転は停止状態となっており、棒状振動体１１，１２は何れも振動していない（図３（ａ））。
【００２８】
次いで、作業者は、宙づり状態の棒状振動体１１，１２を先端側から打設コンクリートＣに挿入する（図３（ｂ）参照）。ここで、棒状振動体１１，１２の先端側表面１１１（第１電極），１２１（第２電極）には、絶縁型ＤＣ−ＤＣコンバータから電圧が印加されているので、棒状振動体１１，１２の先端側表面１１１（第１電極），１２１（第２電極）が何れも打設コンクリートＣに触れると、打設コンクリートＣ内の水分を介して棒状振動体１１の先端側表面１１１（第１電極）と棒状振動体１２の先端側表面１２１（第２電極）が導通して微弱電流が流れる（図３（ｂ）において太線で図示）。この微弱電流を電流検出回路３２が検出し、電流検出信号を制御回路３１に送信する。そして、この電流検出信号を受信した制御回路３１は、棒状振動体１１，１２の振動源に対して電力の供給を開始する。
【００２９】
このとき、制御回路３１は、図４に示すように、振動源毎に電力供給の開始タイミングをずらして電力を供給することもできる。すなわち、制御回路３１は、電流検出回路３２から電流検出信号を受信すると、まずは棒状振動体１１の振動源に対して電力供給を開始し、所定時間（本実施例では１ｍｓｅｃ）経過した後に棒状振動体１２の振動源に対して電力の供給を開始する。このように、振動源毎に電力供給の開始タイミングをずらすことにより、棒状振動体１１，１２を打設コンクリートＣに挿入する際に同時に振動を開始させることで生じやすい打設コンクリートＣ表面の波打ちを抑制することができ、打設コンクリートＣ表面が波打つことによって棒状振動体１１の先端側表面１１１（第１電極）と棒状振動体１１の先端側表面１２１（第２電極）間で導通、絶縁が頻繁に繰り返されることを防止でき（棒状振動体１１，１２の双方が確実に打設コンクリートＣに接触する状態を作り出すことができ）、チャタリングの発生を防止することができる。
【００３０】
以上のように、１つのコンクリートバイブレータが備える棒状振動体１１，１２の先端側表面１１１（第１電極），１２１（第２電極）が共に打設コンクリートＣに接触することにより、自動的にバイブレータに駆動電力が供給され、棒状振動体１１，１２が振動を開始するので、打設コンクリートＣの締め固め作業を行う際に、センサーの一の電極を、あらかじめ打設コンクリート内に挿入しておいたり、打設コンクリート内に配設された鉄筋などに接続しておいたりする必要がない。加えて、打設コンクリートＣに対して棒状振動体１１，１２を挿入する際、打設コンクリートＣの抵抗を受けることなくスムーズに挿入作業を行うことができる。
【００３１】
他方、締め固め作業を終了し、打設コンクリートＣから棒状振動体１１，１２を引き抜く作業においては、棒状振動体１１，１２の先端側表面１１１（第１電極），１２１（第２電極）の双方が打設コンクリートＣから引き抜かれるまでの間は、棒状振動体１１，１２の先端側表面１１１（第１電極），１２１（第２電極）は導通したままの状態であるからバイブレータの運転が継続され、棒状振動体１１，１２の振動を継続させた状態で引き抜くことができる。そして、棒状振動体１１，１２の先端側表面１１１（第１電極），１２１（第２電極）の双方が打設コンクリートＣから完全に引き抜かれた状態となったときに絶縁され、棒状振動体１１の先端側表面１１１（第１電極）と棒状振動体１２の先端側表面１２１（第２電極）との間に電流が流れなくなる。これにより、電流検出回路３２から制御回路３１に対する電流検出信号の送信が停止され、制御回路３１が各振動源への電力供給を停止する制御を行い、自動的に各バイブレータが停止する。このようにして、打設コンクリートＣから棒状振動体１１，１２を引き抜く際には、打設コンクリートＣの抵抗を受けることなくスムーズに引き抜き作業を行うことができる。
【００３２】
また、棒状振動体１１，１２を打設コンクリートＣに挿脱する際に、棒状振動体１１，１２の先端側表面１１１（第１電極），１２１（第２電極）の何れか一方が鉄筋等に接触しても、両電極が導通して電流が流れることはないので、各振動源に誤って電力が供給されることはなく、誤作動を起こす可能性も低い。
【００３３】
図５ないし図１０は、この発明の第２の実施例の概要を示す図である。第２の実施例は、複数の棒状振動体を備えた大型のコンクリートバイブレータ装置をクレーン等で宙づり状態にして打設コンクリートの締め固め作業を行うコンクリートバイブレータに適用した実施例である。
【００３４】
内部にそれぞれ振動源発生源を備えた棒状振動体１１，１２，１３，１４は、所定間隔を介して先端位置を揃えた並列状態で配設されており、それぞれの基端側にはホース２１，２２，２３，２４が接続されている。このホース２１，２２，２３，２４の他端は制御装置３に接続されている。制御装置３は、制御回路３１と、電流検出回路３２と、絶縁型ＤＣ−ＤＣコンバータ３３とを備えており、制御回路３１にはバイブレータの駆動電源である高周波インバータ４が接続され、各バイブレータの振動発生源への電力供給を制御している。また、高周波インバータ４はバッテリーＢに接続されている。制御装置３、高周波インバータ４、バッテリーＢはフレームＦ内に収容され、棒状振動体１１，１２，１３，１４は、フレームＦの下方からぶら下がるように外部に露出している。フレームＦの上面には、クレーンで吊り下げる際にワイヤーを引っかけるためのフックＨが設けられている。
【００３５】
棒状振動体１１，１２，１３，１４の先端側表面は、何れも鉄などの導体で構成されており、この先端側表面１１１，１２１，１３１，１４１の裏側（振動体内部）にはセンサー線１１２，１２２，１３２，１４２がそれぞれ接続されている。このセンサー線１１２，１２２，１３２，１４２は、ホース２１，２２，２３，２４の内部を通って制御装置３内の電流検出回路３２に他端が接続されている。打設コンクリートの存在を検知するセンサーである４つの電極のうち、棒状振動体１１の先端側表面１１１が第１電極を、棒状振動体１２の先端側表面１２１が第２電極を、棒状振動体１３の先端側表面１３１が第３電極を、棒状振動体１４の先端側表面１４１が第４電極を構成している。
【００３６】
絶縁型ＤＣ−ＤＣコンバータ３３は、１次側が高周波インバータ４に、２次側が電流検出回路３２にそれぞれ接続されており、バイブレータ電源として利用される高周波インバータ４の出力電圧を変圧し、センサー線１１２，１２２，１３２，１４２を介して棒状振動体１１，１２，１３，１４の先端側表面１１１，１２１，１３１，１４１に印加している（この実施例では、先端側表面１１１（第１電極）を「＋」、先端側表面１２１（第２電極），１３１（第３電極），１４１（第４電極）を「−」として印加している。）。
【００３７】
電流検出回路３２は、センサーを構成する棒状振動体１１の先端側表面１１１（第１電極）と、棒状振動体１２，１３，１４の先端側表面１２１（第２電極），１３１（第３電極），１４１（第４電極）のうちの１つ以上の電極とが打設コンクリートＣ中の水分を介して導通している間に流れる電流を検出して電流検出信号を制御回路３１に送信する回路である。
【００３８】
制御回路３１は、棒状振動体１１，１２，１３，１４のそれぞれの振動源であるバイブレータへの電力供給のオン・オフを制御する回路であり、電流検出回路３２から電流検出信号を受信している間バイブレータへの電力供給を行い、電流検出信号を受信していない間バイブレータへの電力供給を停止するよう設定されている。
【００３９】
次に、第２の実施例のコンクリートバイブレータを用いた打設コンクリートの締め固め作業時におけるコンクリートバイブレータの動作を説明する。
【００４０】
制御装置３の主電源を投入し、クレーンを用いてフレームＦを釣り上げ、棒状振動体１１，１２，１３，１４を宙づり状態にする。このとき、棒状振動体１１，１２，１３，１４の先端側表面１１１（第１電極），１２１（第２電極），１３１（第３電極），１４１（第４電極）には絶縁型ＤＣ−ＤＣコンバータ３３から電圧が印加（先端側表面１１１（第１電極）を「＋」、先端側表面１２１（第２電極），１３１（第３電極），１４１（第４電極）を「−」として印加）されているものの、各電極間は何れも絶縁されて導通しておらず、棒状振動体１１の先端側表面１１１（第１電極）と、棒状振動体１２の先端側表面１２１（第２電極），１３１（第３電極），１４１（第４電極）との間には電流が流れないので、電流検出回路３２から制御回路３１に対して電流検出信号が送信されることはなく、制御回路３１は各バイブレータに対して電力供給を行わない。このため、各バイブレータの運転は停止状態となっており、棒状振動体１１，１２、１３，１４は何れも振動していない（図示は省略）。
【００４１】
次いで、クレーンを操作して宙づり状態の棒状振動体１１，１２，１３，１４を先端側から打設コンクリートＣに挿入する（図７参照）。棒状振動体１１，１２，１３，１４の先端側表面１１１（第１電極），１２１（第２電極），１３１（第３電極），１４１（第４電極）には、絶縁型ＤＣ−ＤＣコンバータから電圧が印加されているので、棒状振動体１１の先端側表面１１１（第１電極）と、棒状振動体１２，１３，１４の先端側表面１２１（第２電極），１３１（第３電極），１４１（第４電極）の何れかが打設コンクリートＣに触れると、打設コンクリートＣ内の水分を介して棒状振動体１１の先端側表面１１１（第１電極）と棒状振動体１２，１３，１４の先端側表面１２１（第２電極），１３１（第３電極），１４１（第４電極）のうち打設コンクリートＣと接触した何れかの先端側表面とが導通して微弱電流が流れる（図７においては棒状振動体１２の先端側表面１２１（第２電極）が打設コンクリートＣに接触したものとして太線で図示。）。この微弱電流を電流検出回路３２が検出し、電流検出信号を制御回路３１に送信する。そして、この電流検出信号を受信した制御回路３１は、棒状振動体１１，１２，１３，１４の各振動源に対して電力の供給を開始する。ここで、制御回路３１は、図８に示すように、各振動源に対する電力供給をタイミングをずらして開始することもできる。
【００４２】
他方、締め固め作業を終了し、打設コンクリートＣから棒状振動体１１，１２，１３，１４を引き抜く作業においては、棒状振動体１１の先端側表面１１１（第１電極）と、棒状振動体１２，１３，１４の先端側表面１２１（第２電極），１３１（第３電極），１４１（第４電極）の全てが打設コンクリートＣから引き抜かれるまでの間は、棒状振動体１１の先端側表面１１１（第１電極）と、棒状振動体１２，１３，１４の先端側表面１２１（第２電極），１３１（第３電極），１４１（第４電極）の何れかの電極が導通したままの状態となるためバイブレータの運転が継続され、棒状振動体１１，１２，１３，１４の振動を継続させた状態で引き抜くことができる。そして、棒状振動体１１の先端側表面１１１（第１電極）と、棒状振動体１２，１３，１４の先端側表面１２１（第２電極），１３１（第３電極），１４１（第４電極）の全てが打設コンクリートＣから完全に引き抜かれた状態となったときに絶縁され、棒状振動体１１の先端側表面１１１（第１電極）と棒状振動体１２，１３，１４の先端側表面１２１（第２電極），１３１（第３電極），１４１（第４電極）との間に電流が流れなくなる。これにより、電流検出回路３２から制御回路３１に対する電流検出信号の送信が停止され、制御回路３１が各振動源への電力供給を停止する制御を行い、自動的に各バイブレータが停止する。
【００４３】
第２の実施例にあっても、第１の実施例と同様、センサーを構成する電極をあらかじめ打設コンクリートＣ内に挿入しておいたり、打設コンクリートＣ内に配設された鉄筋などに接続しておいたりする必要がなく、また、棒状振動体１１の先端側表面１１１（第１電極）と、棒状振動体１２，１３，１４の先端側表面１２１（第２電極），１３１（第３電極），１４１（第４電極）の何れかが同時に鉄筋等に接触しないかぎり、電極間に電流が流れることはないので、誤作動を起こす可能性も低い。
【００４４】
図９は、第２の実施例の制御回路３１による制御パターンの変形例を示す図である。すなわち、この変形例は、棒状振動体１１，１２，１３，１４の先端側表面１１１（第１電極），１２１（第２電極），１３１（第３電極），１４１（第４電極）に絶縁型ＤＣ−ＤＣコンバータ３３からセンサー用の電圧を印加（先端側表面１１１（第１電極）を「＋」、先端側表面１２１（第２電極），１３１（第３電極），１４１（第４電極）を「−」として印加）している点は、上記第２の実施例と同様であるが、各棒状振動体の振動源に対する電力供給は、打設コンクリートＣに実際に接触して導通状態となった電極が配設されている棒状振動体の振動源についてのみ行うようにしている点に差異がある。図９では、最初に棒状振動体１１の先端側表面１１１（第１電極）と棒状振動体１２の先端側表面１２１（第２電極）とが打設コンクリートＣに接触して導通し、次いで、棒状振動体１３の先端側表面（第３電極）が打設コンクリートＣに接触して棒状振動体１１の先端側表面１１１（第１電極）と導通し、棒状振動体１４の先端側表面１４１（第４電極）は打設コンクリートＣとまだ接触していない状態を示している。棒状振動体１１の先端側表面１１１（第１電極）と棒状振動体１２の先端側表面１２１（第２電極）とが打設コンクリートＣに接触して導通すると、電流検出回路３２がこれを検知して電流検出信号を制御回路３１に送信し、制御回路３１が棒状振動体１１，１２の振動源に対してのみ電力を供給するよう制御をい、次いで、棒状振動体１３の先端側表面（第３電極）が打設コンクリートＣに接触して棒状振動体１１の先端側表面１１１（第１電極）と導通すると、電流検出回路３２がこれを検知して電流検出信号を制御回路３１に追加的に送信し、制御回路３１が棒状振動体１３の振動源に対して追加的に電力を供給する制御を行う。そして、棒状振動体１４の先端側表面１４１（第４電極）は打設コンクリートＣとまだ接触していないので、棒状振動体１４の振動源にはまだ電力の供給が行われていない。このように制御することで、打設コンクリートＣに対する接触状況に応じたきめの細かい制御を行うことができる。
【００４５】
また、制御回路３１は、図１０に示すように、最初に導通する電極を備えた棒状振動体の振動源に対する電力供給の開始タイミングをずらして行うこともできる。（これ以降に導通する電極を備えた棒状振動体の振動源に対して行われる追加的な電力供給は、何れも異なるタイミングで開始されることになるから、意図的に開始タイミングをずらして行う必要はない。）
【００４６】
第２の実施例において、絶縁型ＤＣ−ＤＣコンバータ３３から棒状振動体１１，１２，１３，１４の先端側表面１１１（第１電極），１２１（第２電極），１３１（第３電極），１４１（第４電極）に印加されるセンサー用の電圧は、棒状振動体１１の先端側表面１１１（第１電極）を「＋」極、棒状振動体１２，１３，１４の先端側表面１２１（第２電極），１３１（第３電極），１４１（第４電極）を「−」極としたが、棒状振動体１１，１４の先端側表面１１１（第１電極），１４１（第４電極）を「＋」極とし、棒状振動体１２，１３の先端側表面１２１（第２電極），１３１（第３電極）を「−」極とすることもできる。この場合にあっても、何れかの電極が導通することにより流れる微弱電流を電流検出回路３２が検出した場合に全ての棒状振動体の振動源に対して電力の供給を開始するようにしてもよいし、実際に導通状態となった電極を備えた棒状振動体の振動源に対してのみ電力の供給を開始するようにしてもよい。
【００４７】
図１１ないし図１３は、第３の実施例の概要を示す図である。この実施例は、第２の実施例における４本の棒状振動体１１，１２，１３，１４のうち２本の棒状振動体１１，１２の先端側表面１１１，１２１にのみ電極を設けた実施例である。センサーを構成する電極が、棒状振動体１１の先端側表面１１１（第１電極）と棒状振動体１２の先端側表面１２１（第２電極）に設けられ、それぞれセンサー線１１２，１２２を介して電流検出回路３２に接続されている以外は、第２の実施例と同様の構成である。
【００４８】
この実施例にあっては、棒状振動体１１，１２の先端側表面１１１（第１電極），１２１（第２電極）が共に打設コンクリートＣに接触することにより、打設コンクリートＣ中の水分を介して棒状振動体１１の先端側表面１１１（第１電極）と棒状振動体１２の先端側表面１２１（第２電極）とが導通し、微弱電流が流れる。この微弱電流を電流検出回路３２が検知して電流検出信号を制御回路３１に送信し、この電流検出信号を受信した制御回路３１が、棒状振動体１１，１２，１３，１４の各振動源に対して電力の供給を開始する。このとき、第２の実施例同様、各バイブレータに対する電力供給の開始タイミングをずらすこともできる（図８参照）。
【００４９】
逆に、棒状振動体１１，１２の先端側表面１１１（第１電極），１２１（第２電極）が共に打設コンクリートＣから離れると、棒状振動体１１の先端側表面１１１（第１電極）と棒状振動体１２の先端側表面１２１（第２電極）とが絶縁されて両電極間に電流が流れなくなるので、電流検出回路３２からの電流検出信号が停止され、これを受けて制御回路３１は棒状振動体１１，１２，１３，１４の各振動源に対する電力の供給を停止する。
【００５０】
第３の実施例にあっても、第１の実施例及び第２の実施例と同様、センサーを構成する電極をあらかじめ打設コンクリートＣ内に挿入しておいたり、打設コンクリートＣ内に配設された鉄筋などに接続しておいたりする必要がなく、また、棒状振動体１１，１２の先端側表面１１１（第１電極），１２１（第２電極）の何れか一方が鉄筋等に接触しても、電極間に電流が流れることはないので、誤作動を起こす可能性も低い。
【産業上の利用可能性】
【００５１】
この発明は、打設コンクリートの締め固めに使用されるコンクリートバイブレータにおいて、打設コンクリートを検知することにより自動的にバイブレータの運転を制御することができる棒状のコンクリートバイブレータに関するものであり、産業上の利用可能性を有するものである。
【符号の説明】
【００５２】
１１，１２，１３，１４  棒状振動体
１１１  先端側表面（第１電極）
１２１  先端側表面（第２電極）
１３１  先端側表面（第３電極）
１４１  先端側表面（第４電極）
１１２，１２２，１３２，１４２  センサー線
２１，２２，２３，２４  ホース
３    制御装置
３１  制御回路
３２  電流検出回路
３３  絶縁型ＤＣ−ＤＣコンバータ
４    高周波インバータ
【要約】      （修正有）【課題】棒状振動体の打設コンクリート挿脱時に棒状振動体が露出状態の鉄筋などに接触しても誤作動を起こしにくいコンクリートバイブレータを提供する。【解決手段】少なくとも２つの電極を備えたセンサーで打設コンクリートの存在を検知して振動源への電力供給のオン・オフを行う制御装置３を備えたコンクリートバイブレータであって、コンクリートバイブレータは、打設コンクリートに挿脱される棒状振動体１１を電極の数以上備え、センサーの電極は、電極毎にそれぞれ異なる棒状振動体の先端側表面に配設され、前記制御装置は、電極間に流れる電流を検出する電流検出手段と、電流検出手段からの電流検出信号を受けたときに振動源への電力供給を行う制御手段とを備えたコンクリートバイブレータとして構成する。【選択図】図１【図１】
0006919937.tif 000002
【図２】
0006919937.tif 000003
【図３】
0006919937.tif 000004
【図４】
0006919937.tif 000005
【図５】
0006919937.tif 000006
【図６】
0006919937.tif 000007
【図７】
0006919937.tif 000008
【図８】
0006919937.tif 000009
【図９】
0006919937.tif 000010
【図１０】
0006919937.tif 000011
【図１１】
0006919937.tif 000012
【図１２】
0006919937.tif 000013
【図１３】
0006919937.tif 000014